(57)【要約】      （修正有）【課題】電源供給部と電動ファンをダイレクトに接続し、部品の数を減らし、分解及び組立を容易にできる電動ファンを提供する。【解決手段】電動ファン収容溝１３０は、側壁１２０に挿入口１４０を形成し、電動ファン５２０は挿入口１４０を介して電動ファン収容溝１３０に長手方向に挿入され、蓋（不図示）で挿入口１４０を覆う。この場合、電動ファン５２０を下部フレームに装着するとき、下部フレームを持ち上げなくても電動ファン５２０を容易に分離または装着可能になる。【選択図】図６
2020011025.tif 000002
【特許請求の範囲】
【請求項１】
電動ファン電源供給端子を有する電源供給部と、電動ファン収容溝とを含む電気ロースターに着脱式に装着可能な電動ファンにおいて、
前記電気ロースター内で空気の流れを形成するためのファンと、
前記ファンを駆動するためのモーターと、
前記電動ファン収容溝の内壁に対して前記ファン及び前記モーターを決められた位置に維持するための位置維持部と、
前記モーターに対して前記ファンの反対方向に延長して形成される接続端子支持部と、前記接続端子支持部において前記モーターから所定の長さだけ離隔された位置で前記電動ファン電源供給端子側と電気的に接続される電動ファン電源接続端子とを含む電源接続部と
を備え、
前記電源接続部は、前記ファン及び前記モーターの配列方向から見たときの断面の外郭形状が前記位置維持部の対応する断面の外郭内に位置する、
電動ファン。
【請求項２】
前記電動ファン電源接続端子の接続接触面が、前記電動ファン電源供給端子の供給接触面とダイレクトに接触する、
請求項１に記載の電動ファン。
【請求項３】
前記電源供給部は、前記電気ロースターに対して分解及び組立が可能な着脱式構造であり、
前記電源供給部及び前記電動ファンのうち一つが装着されて他の一つが装着されていない状態から、前記他の一つが装着されるときに、前記他の一つの装着によって前記接続接触面が前記供給接触面とダイレクトに接触する、
請求項２に記載の電動ファン。
【請求項４】
前記電動ファン電源接続端子の接続接触面が置かれる第１平面は、前記電動ファンが前記電気ロースターに装着されたときに、前記電動ファン電源供給端子側の供給接触面が置かれる第２平面と平行となるように形成されている、
請求項１に記載の電動ファン。
【請求項５】
前記電源供給部または前記電動ファンが前記電気ロースターに装着されるときに、前記接続接触面は前記供給接触面に対して平行移動して接触する、
請求項４に記載の電動ファン。
【請求項６】
前記接続接触面は、前記電源供給部の下面とスライディング式で接触し、弾性的に圧縮されながら前記供給接触面と接触する、
請求項５に記載の電動ファン。
【請求項７】
前記電動ファン電源接続端子は、一端が前記モーターに向けて延長し、前記モーターの端子と電気的に接続されるコイルスプリングを含む、
請求項６に記載の電動ファン。
【請求項８】
前記電動ファン電源接続端子は、一端が前記モーターに向けて延長し、前記モーターの端子と電気的に接続される板バネを含む、
請求項６に記載の電動ファン。
【請求項９】
前記電動ファン電源接続端子は、第１電動ファン電源接続端子及び第２電動ファン電源接続端子を含み、前記電源供給端子側に電気的に接続される前記第１電動ファン電源接続端子及び前記第２電動ファン電源接続端子の第１接続接触面と第２接続接触面は、前記モーターからそれぞれ所定の長さだけ離隔して形成される、
請求項１に記載の電動ファン。
【請求項１０】
前記接続端子支持部は、前記モーターの回転軸に対して一側に偏って位置し、前記電動ファン電源接続端子は、前記接続端子支持部に対して垂直に配置されて前記回転軸のある方向に延長して形成される、
請求項１に記載の電動ファン。
【請求項１１】
前記接続端子支持部は、一側面から前記回転軸のある方向に突出し、内部に収容溝が形成された接続端子収容部を含み、
前記電動ファン電源接続端子は、一部が前記収容溝の外に突出するように前記収容溝に収容され、一端が前記モーター側に延長して前記モーターの端子と電気的に接続される延長部を含む、
請求項１０に記載の電動ファン。
【請求項１２】
前記接続端子支持部は、前記モーターの端子が収容される収容溝が形成されたモーター端子収容部と、前記接続端子収容部の収容溝と前記モーター端子収容部の収容溝との間を連通し、前記電動ファン電源接続端子の前記延長部を収容する接続部を含む、
請求項１１に記載の電動ファン。
【請求項１３】
前記位置維持部は、前記モーターまたは前記ファンを囲むパッキングフレームと、前記パッキングフレームの外周を囲んで設けられるパッキングとを含む、
請求項１に記載の電動ファン。
【請求項１４】
前記電動ファン収容溝は、長手方向の一端に挿入口を含み、
前記電動ファンは、前記挿入口を介して前記電動ファン収容溝に前記長手方向に挿入可能である、
請求項１に記載の電動ファン。
【請求項１５】
請求項１ないし１４の何れか一項に記載の電動ファンを備える、
電気ロースター。
【発明の詳細な説明】
【技術分野】
【０００１】
本発明は、電動ファン及びこれを備える空気循環式電気ロースターに関する。
【背景技術】
【０００２】
一般に、電気ロースターは、本体にヒーターを含む調理板を備え、電流を印加してヒーターを加熱することで、調理板で肉類、魚介類、野菜類などの食材を調理するための機器である。
【０００３】
従来の電気ロースターは、例えば、特許文献１に記載されている。特許文献１に記載された電気ロースターの場合、電源供給部と空気循環部として機能する電動ファンを、構造的にダイレクトに電気的に接続することができず、別途の接続手段（特許文献１の図６の符号４７参照）を必要とする。
【先行技術文献】
【特許文献】
【０００４】
【特許文献１】韓国特許公開公報第１０−２０１７−００９４６１１号
【発明の概要】
【発明が解決しようとする課題】
【０００５】
接続手段は、電流を印加するための部材で、水洗いを避けるべきである。このため接続手段を、本体結合部（特許文献１の図２の符号２０参照）とは別途に設けている。これは、部品数の増加などにより製品コストを上昇させる要因となり、さらに、分解及び組立が厄介になるという問題がある。
【０００６】
従来の電動ファンにおいて、電動ファン電源接続端子（特許文献１の図６の符号４５参照）は、上方に突出するピンの形態であり、前述した接続手段の下方に開放される端子ソケットに挿入されることで電気的に接続される構造になっている。このような構造は、電動ファンの装着の際にソケットと端子のピンが互いに挿入結合されるように位置を合わせて装着する必要があるので不便である。また、電動ファンを外す時には、ユーザーが主にピンの反対側を先に持ち上げながらテコの原理によって電動ファンを外すので、ピンまたは接続手段に損傷をもたらす原因になり得る。
【０００７】
本発明は、上述した従来の要求に応えるために成されたものであり、本発明の少なくとも一つの実施例では、電源供給部と電動ファンをダイレクトに接続し、部品の数を減らし、分解及び組立を容易にできる電動ファンを提供することを目的とする。
【０００８】
さらに、本発明の少なくとも一つの実施例では、電動ファン電源接続端子を簡素化することで、容易に装着できる電動ファンを提供することを目的とする。
【０００９】
さらに、本発明の少なくとも一つの実施例では、電源供給部と電動ファンをダイレクトに接続し、部品の数を減らし、分解及び組立を容易にできるのみならず、電源接続端子を簡素化することで、電動ファンを容易に装着できる空気循環式電気ロースターを提供することを目的とする。
【００１０】
本発明の解決課題は以上で言及されたものに限定されず、言及されていない他の解決課題は下記の記載から当該技術分野における通常の知識を有した者に明確に理解できるであろう。
【課題を解決するための手段】
【００１１】
本発明の少なくとも一つの実施例においては、電動ファン電源供給端子を有する電源供給部と、電動ファン収容溝とを含む電気ロースターに着脱式に装着可能な電動ファンにおいて、前記電気ロースター内で空気の流れを形成するためのファンと、前記ファンを駆動するためのモーターと、前記電動ファン収容溝の内壁に対して前記ファン及び前記モーターを決められた位置に維持するための位置維持部と、前記モーターに対して前記ファンの反対方向に延長して形成される接続端子支持部と、前記接続端子支持部において前記モーターから所定の長さだけ離隔された位置で前記電動ファン電源供給端子側と電気的に接続される電動ファン電源接続端子とを含む電源接続部とを備え、前記電源接続部は、前記ファン及び前記モーターの配列方向から見たときの断面の外郭形状が前記位置維持部の対応する断面の外郭内に位置する、電動ファンを提供する。
【００１２】
本発明の少なくとも一つの実施例において、前記電動ファン電源接続端子の接続接触面が、前記電動ファン電源供給端子の供給接触面とダイレクトに接触する。
【００１３】
本発明の少なくとも一つの実施例において、前記電源供給部は、前記電気ロースターに対して分解及び組立が可能な着脱式構造であり、前記電源供給部及び前記電動ファンのうち一つが装着されて他の一つが装着されていない状態から、前記他の一つが装着されるときに、前記他の一つの装着によって前記接続接触面が前記供給接触面とダイレクトに接触する。
【００１４】
本発明の少なくとも一つの実施例において、前記電動ファン電源接続端子の接続接触面が置かれる第１平面は、前記電動ファンが前記電気ロースターに装着されたときに、前記電動ファン電源供給端子側の供給接触面が置かれる第２平面と平行となるように形成されている。
【００１５】
本発明の少なくとも一つの実施例において、前記電源供給部または前記電動ファンが前記電気ロースターに装着されるときに、前記接続接触面は前記供給接触面に対して平行移動して接触する。
【００１６】
本発明の少なくとも一つの実施例において、前記接続接触面は、前記電源供給部の下面とスライディング式で接触し、弾性的に圧縮されながら前記供給接触面と接触する。
【００１７】
本発明の少なくとも一つの実施例において、前記電動ファン電源接続端子は、一端が前記モーターに向けて延長し、前記モーターの端子と電気的に接続されるコイルスプリングを含む。
【００１８】
本発明の少なくとも一つの実施例において、前記電動ファン電源接続端子は、一端が前記モーターに向けて延長し、前記モーターの端子と電気的に接続される板バネを含む。
【００１９】
本発明の少なくとも一つの実施例において、前記電動ファン電源接続端子は、第１電動ファン電源接続端子及び第２電動ファン電源接続端子を含み、前記電源供給端子側に電気的に接続される前記第１電動ファン電源接続端子及び前記第２電動ファン電源接続端子の第１接続接触面と第２接続接触面は、前記モーターからそれぞれ所定の長さだけ離隔して形成される。
【００２０】
本発明の少なくとも一つの実施例において、前記接続端子支持部は、前記モーターの回転軸に対して一側に偏って位置し、前記電動ファン電源接続端子は、前記接続端子支持部に対して垂直に配置されて前記回転軸のある方向に延長して形成される。
【００２１】
本発明の少なくとも一つの実施例において、前記接続端子支持部は、一側面から前記回転軸のある方向に突出し、内部に収容溝が形成された接続端子収容部を含み、前記電動ファン電源接続端子は、一部が前記収容溝の外に突出するように前記収容溝に収容され、一端が前記モーター側に延長して前記モーターの端子と電気的に接続される延長部を含む。
【００２２】
本発明の少なくとも一つの実施例において、前記接続端子支持部は、前記モーターの端子が収容される収容溝が形成されたモーター端子収容部と、前記接続端子収容部の収容溝と前記モーター端子収容部の収容溝との間を連通し、前記電動ファン電源接続端子の前記延長部を収容する接続部を含む。
【００２３】
本発明の少なくとも一つの実施例において、前記位置維持部は、前記モーターまたは前記ファンを囲むパッキングフレームと、前記パッキングフレームの外周を囲んで設けられるパッキングとを含む。
【００２４】
本発明の少なくとも一つの実施例において、前記電動ファン収容溝は、長手方向の一端に挿入口を含み、前記電動ファンは、前記挿入口を介して前記電動ファン収容溝に前記長手方向に挿入可能である。
【００２５】
本発明の少なくとも一つの実施例においては、前記電動ファンを備える、電気ロースターを提供する。
【発明の効果】
【００２６】
本発明によれば、電気ロースターの電源供給部と電動ファンをダイレクトに接続し、部品の数を減らし、分解及び組立を容易にできるという効果を奏する。
【００２７】
本発明によれば、電気ロースターの電源供給部と電動ファンをダイレクトに接続し、部品の数を減らし、分解及び組立を容易にできるのみならず、電源接続端子を簡素化することで、容易に電動ファンを装着できるという効果を奏する。
【００２８】
本発明の効果は以上で言及されたものなどに限定されず、言及されていない他の効果は下記の記載から当該技術分野における通常の知識を有した者に明確に理解できるはずである。
【図面の簡単な説明】
【００２９】
【図１】本発明の少なくとも一つの実施例に係る電気ロースターの斜視図である。
【図２Ａ】本発明の少なくとも一つの実施例に係る電気ロースターの下側の対角方向の分解組立図である。
【図２Ｂ】本発明の少なくとも一つの実施例に係る電気ロースターの調理板の分解組立図である。
【図３】本発明の少なくとも一つの実施例に係る電気ロースターの電源供給部を挿入する様子を示す斜視図である。
【図４】本発明の少なくとも一つの実施例に係る電気ロースターの電源供給部の斜視図及び一部拡大図である。
【図５】本発明の少なくとも一つの実施例に係る電気ロースターの電動ファンの斜視図及び一部拡大図である。
【図６】本発明の少なくとも一つの実施例に係る電気ロースターで電動ファンを側面から挿入する様子を示す斜視図である。
【発明を実施するための形態】
【００３０】
以下、添付図面を参照し、本発明の少なくとも一つの実施例に係る電気ロースターについて詳しく説明する。
【００３１】
図１は、本発明の少なくとも一つの実施例に係る電気ロースターの斜視図である。図２Ａは、本発明の少なくとも一つの実施例に係る電気ロースターの下側の対角方向の分解組立図である。図２Ｂは、本発明の少なくとも一つの実施例に係る電気ロースターの調理板の分解組立図である。
【００３２】
本発明の少なくとも一つの実施例に係る電気ロースターは、上部フレーム１００、下部フレーム１２１、電源供給部１５０、調理板２６０、ヒーター２８０、空気循環板３００、油受け５１０及び電動ファン５２０を備える。
【００３３】
図１に示すように、上部フレーム１００は、平面視で全体に四角形の形状で、三つの角部がラウンド処理され、残りの一つの角部に電源供給部収容部１１０が形成される。
【００３４】
下部フレーム１２１は、下面と下面の角部を覆いながら上方に形成される側壁１２０と、下部に電動ファン５２０を収納する電動ファン収容溝１３０を含む。電動ファン収容溝１３０は側壁１２０に近い位置に形成される。
【００３５】
図２Ａに示す例では、電動ファン５２０を電気ロースターの下面に形成した開口部を介して電動ファン収容溝１３０に装着し、蓋（不図示）で電動ファン収容溝１３０を覆う構造を示す。
【００３６】
図３は、本発明の少なくとも一つの実施例に係る電気ロースターの電源供給部１５０を挿入する様子を示す斜視図である。図４は、本発明の少なくとも一つの実施例に係る電気ロースターの電源供給部１５０の斜視図及び一部拡大図である。図５は、本発明の少なくとも一つの実施例に係る電気ロースターの電動ファン５２０の斜視図及び一部拡大図である。図６は、本発明の少なくとも一つの実施例に係る電気ロースターで電動ファン５２０を側面から挿入する様子を示す斜視図である。
【００３７】
本発明の少なくとも一つの実施例において、電動ファン収容溝１３０は、図６に示すように、側壁１２０に挿入口１４０を形成し、電動ファン５２０は挿入口１４０を介して電動ファン収容溝１３０に長手方向に挿入され、蓋（不図示）で挿入口１４０を覆う。この場合、電動ファン５２０を下部フレームに装着するとき、下部フレームを持ち上げなくても電動ファン５２０を容易に分離または装着可能になる。
【００３８】
電源供給部１５０は、上部フレーム１００に形成した電源供給部収容部１１０に設けられる。
【００３９】
電源供給部１５０は、ヒーター電源供給端子１６０を有するヒーター電源供給部１７０と、電動ファン５２０に電源を供給するための電動ファン電源供給端子３１０、３１１を有する電動ファン電源供給部１９０を含む。
【００４０】
ヒーター電源供給端子１６０は、ヒーター２８０のヒーター電源接続端子２００が、電源供給部１５０を押し込む方向（図３の矢印Ａの方向）に対して挿入される形で互いに電気的に接続される。
【００４１】
本発明の少なくとも一つの実施例において、ヒーター電源供給端子１６０はソケットの形態で、ヒーター電源接続端子２００はピンの形態で、ヒーター電源接続端子２００がヒーター電源供給端子１６０に挿入されることで電気的に接続される構造である。
【００４２】
電動ファン電源供給端子３１０、３１１は、図２ないし図４に示すように、電動ファン５２０の電動ファン電源接続端子１５４０、１５５０と、方向Ａに下面と上面が互いにスライディングすることで接触し、互いに電気的に接続される。
【００４３】
電源供給部１５０の電動ファン電源供給端子３１０、３１１は、電動ファン電源供給部１９０の下面側に下を向く端子面１５００、１５０１を含む。
【００４４】
電動ファン電源供給部１９０の下面は溝１２３０、１２３１を含み、端子面１５００、１５０１は溝１２３０、１２３１の中に所定の深さだけ入って位置し、電動ファン電源接続端子１５４０、１５５０の末端は弾性的に圧縮可能で、少なくとも一部の圧縮状態が緩みながら溝１２３０、１２３１の中に挿入されて端子面１５００、１５０１と接触するようになる。接続の際に、電動ファン電源接続端子１５４０、１５５０の末端が端子面１５００、１５０１にぶつかりながら「カチッ」という音がするか、または少々の振動が発生し、これによってユーザーは接触が適切になされたことを感知することができる。
【００４５】
電源供給部１５０は、電源のオン・オフまたは強弱を調整する調整ノブ２５４を有し、収容空間に位置するノブ部２５１を含み、電動ファン電源供給部１９０は、ノブ部２５１から調理空間に向けて突出するように形成される。
【００４６】
調理板２６０は上部フレーム１００に設けられ、電源供給部収容部１１０との干渉を避けるために角部が切断された形状の回避部２７０を含む。
【００４７】
ヒーター２８０は調理板２６０の下部に設けられて調理板２６０を加熱し、ヒーター２８０の下部には放熱板２９０が設けられる。
【００４８】
空気循環板３００は上部フレーム１００に設けられ、調理板２６０を支持する。上部フレーム１００に空気循環板３００が設けられ、その上に調理板２６０が設けられて、調理板２６０が支持される。
【００４９】
油受け５１０は、下部フレーム１２１の底面に設けられ、調理時に発生する油を受ける。
【００５０】
電動ファン５２０は、電動ファン収容溝１３０に設けられ、ファン１３３０、モーター１３４０、位置維持部１３６０、１３７０、１４４０、及び電源接続部１３５０を含む。
【００５１】
ファン１３３０は、所定の間隔で離隔された複数のインペラ側板１３３１とインペラ側板１３３１の円周方向に配列された複数のブレード１３３２で構成される。インペラ側板１３３１には、その中心部にモーター１３４０の回転軸と結合するファン軸（不図示）が形成される。
【００５２】
モーター１３４０は、ファン１３３０と結合してファン１３３０に回転トルクを提供し、ファン軸とモーター１３４０の回転軸が一致するようにファン１３３０の一側に設けられる。
【００５３】
本発明の少なくとも一つの実施例において、位置維持部１３６０、１３７０、１４４０は、パッキングフレーム１３６０、１３７０及びパッキング１４４０を含み、ファン１３３０またはモーター１３４０を囲み、電動ファン収容溝１３０の内壁に対してファン１３３０及びモーター１３４０が決められた位置に維持するための部材である。
【００５４】
パッキングフレーム１３６０、１３７０は、ファン１３３０を支持するようにファン１３３０の両端に設けられる。パッキングフレーム１３６０、１３７０は、第１パッキングフレーム１３６０と第２パッキングフレーム１３７０を含み、モーター１３４０は、第１パッキングフレーム１３６０側に設けられる。第１パッキングフレーム１３６０には、ファン１３３０の軸方向に突出する電源接続部固定部材１３８０が形成される。
【００５５】
電源接続部固定部材１３８０は、支持部フレーム１３９０の固定部１４００に結合される。
【００５６】
支持部フレーム１３９０は、固定部１４００と、固定部１４００からファン１３３０の軸方向に突出形成される接続端子支持部１４５０が設けられる支持部設置板１４１０を含む。
【００５７】
第１パッキングフレーム１３６０と第２パッキングフレーム１３７０との間には、ファン１３３０を四方に囲んでパッキングフレームの幅より小さく形成されたハウジング１４２０が位置し、ハウジング１４２０の外壁には複数の空気流入孔１４３０が形成される。第１パッキングフレーム１３６０と第２パッキングフレーム１３７０及びハウジング１４２０は一つのピースで一体形成しても良い。
【００５８】
第１パッキングフレーム１３６０と第２パッキングフレーム１３７０のそれぞれには、その外周を囲んで設けられる少なくとも一つ以上のパッキング１４４０を含む。
【００５９】
電源接続部１３５０は、モーター１３４０に対してファン１３３０の反対側に位置し、モーター１３４０側からファン１３３０の反対方向に延長して形成される接続端子支持部１４５０を含む。
【００６０】
接続端子支持部１４５０は、モーター１３４０から所定の距離だけ離隔された位置で電動ファン電源供給端子３１０、３１１側と電気的に接続される電動ファン電源接続端子１５４０、１５５０を含む。
【００６１】
接続端子支持部１４５０は、支持部設置板１４１０に設けられ、接続端子支持部１４５０が設けられた支持部フレーム１３９０の固定部１４００が電源接続部固定部材１３８０に設けられる。支持部フレーム１３９０と電源接続部固定部材１３８０の結合の仕方は、添付の図面を参照することで当業者によって自明であるので、その詳細な説明は省略する。
【００６２】
接続端子支持部１４５０は、モーター１３４０の回転軸（不図示）の一方の側に偏って位置し、電動ファン電源接続端子１５４０、１５５０は、接続端子支持部１４５０に対して垂直に配置され、モーター１３４０の回転軸がある方向に延長して形成される。
【００６３】
接続端子支持部１４５０は、一側面から回転軸がある方向に突出し、内部に収容溝が形成された接続端子収容部１４７０を含む。
【００６４】
接続端子支持部１４５０は、モーター１３４０の端子１４９１が収容される収容溝が形成されたモーター端子収容部１４８０と、接続端子収容部１４７０の収容溝とモーター端子収容部１４８０の収容溝との間を連通し、電動ファン電源接続端子１５４０、１５５０の延長部１４６０を収容する接続部１４９０を含む。
【００６５】
電源接続部１３５０は、ファン１３３０及びモーター１３４０の配列方向に見たとき、その断面の外郭形状がファン１３３０、モーター１３４０、及び位置維持部１３６０、１３７０、１４４０の対応する断面の外郭内に位置する。即ち、電源接続部１３５０の幅は電動ファン５２０の他の部分、特に、位置維持部１３６０、１３７０、１４４０の幅より小さく、その断面の外郭を外れないでその内側に位置する。
【００６６】
特に、電動ファン５２０を側面から挿入または外すことが可能な構造である図６の例では、位置維持部１３６０、１３７０、１４４０が電動ファン収容溝１３０の内壁と密着する必要があるので、電動ファン５２０を電動ファン収容溝１３０に対して長手方向に挿入または分離する構造にするためには、電源接続部の断面の外郭は少なくとも位置維持部１３６０、１３７０、１４４０の断面の外郭を外れないようにすることが望ましい。
【００６７】
第１電動ファン電源接続端子１５４０の第１接続接触面１５１０は第１電動ファン電源供給端子３１０、３１１の第１供給接触面１５００とダイレクトに接触し、第２電動ファン電源接続端子１５５０の第２接続接触面１５１１は第２電動ファン電源供給端子３１０、３１１の第２供給接触面１５０１とダイレクトに接触する。
【００６８】
接続接触面１５１０、１５１１が置かれる第１平面１５２０は、供給接触面１５００、１５０１が置かれる第２平面１５３０と平行になるように形成される。
【００６９】
電動ファン５２０と接続される電源供給部１５０も、電気ロースターに対して別途のピースの固定手段に依存しないで分解及び組立が可能な着脱式構造であり、電源供給部１５０または電動ファン５２０の装着時に、接続接触面１５１０、１５１１は供給接触面１５００、１５０１に対して平行移動しながら接触する。また、電源供給部１５０及び電動ファン５２０のうち一つが装着されて他の一つが装着されていない状態から、他の一つが装着されるときに、この他の一つの装着によって面１５１０，１５１１が供給接触面１５００，１５０１とダイレクトに接触する。
【００７０】
電動ファン電源接続端子１５４０、１５５０は、一部が接続端子収容部１４７０の収容溝の外に突出するように収容溝に収容されている。電動ファン電源接続端子１５４０、１５５０は、モーター１３４０側に到達するように形成され、モーター１３４０の端子１４９１と電気的に接続される延長部１４６０を含む。
【００７１】
電動ファン電源供給部１９０の下面において側面と接続される端部は、図４の点線で囲まれた円の部分に示すようにラウンド処理されている。したがって、電源供給部１５０を水平に押し込んで装着するときに、そのラウンドされた部分に沿って、接続端子収容部１４７０の収容溝の外に突出して圧縮の前には電動ファン電源供給部１９０の下面より高く突出する電動ファン電源接続端子１５４０、１５５０が引っかからないで、電動ファン電源接続端子１５４０、１５５０が圧縮されながら電動ファン電源供給部１９０の下面に沿って移動することができる。
【００７２】
本発明の少なくとも一つの実施例において、電動ファン電源接続端子１５４０、１５５０は、一端は接続端子収容部１４７０の収容溝の外に突出し、他端は延長部１４６０形成されたコイルスプリングの形態である。
【００７３】
本発明の少なくとも一つの実施例において、第１電動ファン電源接続端子１５４０が第２電動ファン電源接続端子１５５０よりモーター１３４０側方向の反対方向により離隔されているが、これは電源供給部１５０を電源供給部収容部１１０に挿入する際に対角方向で挿入するからである。
【００７４】
本発明の少なくとも一つの実施例において、接続接触面１５１０、１５１１はスプリングの端部になっているが、電気的な接続をより確実にするためにスプリングの端部に金属の板または金属の玉などの電気伝導性の良い電極部材（不図示）を付着しても良い。
【００７５】
本発明の少なくとも一つの実施例において、電動ファン電源接続端子１５４０、１５５０は、一端がモーター１３４０の端子１４９１と電気的に接続され、他端はモーター１３４０の反対側に延長し、電源供給部１５０の供給接触面１５００、１５０１と弾性的に接触可能に形成された板バネの構造であっても良い。例えば、モーター１３４０の端子１４９１と接続される一端から屈曲して延長されるベンディング部と、ベンディング部の端部に形成されてベンディング部によって弾性力を受けながら供給接触面１５００、１５０１と接触する他端を含む構造であっても良い。
【００７６】
本発明の少なくとも一つの実施例において、図２Ａ及び図６に示すように、電源供給部１５０は電気ロースターの長手方向の中心軸を基準として電動ファン５２０側に偏って設けられる。
【００７７】
本発明の少なくとも一つの実施例において、電源供給部１５０を電動ファン５２０の長手方向の軸に沿って、または長手方向の軸から遠く離れない位置に形成することで、第１電動ファン電源接続端子１５４０の第１接続接触面１５１０と第１電動ファン電源供給端子３１０、３１１の第１供給接触面１５００がダイレクトに接触し、第２電動ファン電源接続端子１５５０の第２接続接触面１５１１が第２電動ファン電源供給端子３１０、３１１の第２供給接触面１５０１とダイレクトに接触する。
【００７８】
本発明の少なくとも一つの実施例において、ヒーター電源供給端子１６０はソケットの形態で電源供給部１５０と電気的に接続される構造を例として説明しているが、本発明に係る電気ロースターの構造は、ヒーターと電源供給部が一体型に形成された場合にも適用可能である。
【００７９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８０】
１００：上部フレーム                  １１０：電源供給部収容部
１２０：側壁                          １２１：下部フレーム
１３０：電動ファン収容溝              １４０：挿入口
１５０：電源供給部                    １６０：ヒーター電源供給端子
１７０：ヒーター電源供給部            ３１０、３１１：電動ファン電源供給端子
１９０：電動ファン電源供給部          ２００：ヒーター電源接続端子
１５４０、１５５０：電動ファン電源接続端子
２６０：調理板                        ２７０：回避部
２８０：ヒーター                      ２９０：放熱板
３００：空気循環板                    ５１０：油受け
５２０：電動ファン                    １３３０：ファン
１３４０：モーター                    １３５０：電源接続部
１３６０：第１パッキングフレーム      １３７０：第２パッキングフレーム
１３８０：電源接続部固定部材          １３９０：支持部フレーム
１４００：固定部                      １４２０：ハウジング
１５４０：第１電動ファン電源接続端子  １５５０：第２電動ファン電源接続端子
【図１】
2020011025.tif 000003
【図２Ａ】
2020011025.tif 000004
【図２Ｂ】
2020011025.tif 000005
【図３】
2020011025.tif 000006
【図４】
2020011025.tif 000007
【図５】
2020011025.tif 000008
【図６】
2020011025.tif 000009
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
電動ファン電源供給端子を有する電源供給部と、電動ファン収容溝とを含む電気ロースターに着脱式に装着可能な電動ファンにおいて、
前記電気ロースター内で空気の流れを形成するためのファンと、
前記ファンを駆動するためのモーターと、
前記電動ファン収容溝の内壁に対して前記ファン及び前記モーターを決められた位置に維持するための位置維持部と、
前記モーターに対して前記ファンの反対方向に延長して形成される接続端子支持部と、前記接続端子支持部において前記モーターから所定の長さだけ離隔された位置で前記電動ファン電源供給端子側と電気的に接続される電動ファン電源接続端子とを含む電源接続部と
を備え、
前記電源接続部は、前記ファンと前記モーターとが配列された方向に直交する断面の外郭形状が前記位置維持部の対応する断面の外郭内に位置する、
電動ファン。
【請求項２】
前記電動ファン電源接続端子の接続接触面が、前記電動ファン電源供給端子の供給接触面と接触する、
請求項１に記載の電動ファン。
【請求項３】
前記電源供給部は、前記電気ロースターに対して分解及び組立が可能な着脱式構造であり、
前記電源供給部及び前記電動ファンのうち一つが装着されて他の一つが装着されていない状態から、前記他の一つが装着されるときに、前記他の一つの装着によって前記接続接触面が前記供給接触面と接触する、
請求項２に記載の電動ファン。
【請求項４】
前記電動ファン電源接続端子の接続接触面が置かれる第１平面は、前記電動ファンが前記電気ロースターに装着されたときに、前記電動ファン電源供給端子側の供給接触面が置かれる第２平面と平行となるように形成されている、
請求項１に記載の電動ファン。
【請求項５】
前記電源供給部または前記電動ファンが前記電気ロースターに装着されるときに、前記接続接触面は前記供給接触面に対して平行移動して接触する、
請求項４に記載の電動ファン。
【請求項６】
前記接続接触面は、前記電源供給部の下面とスライディング式で接触し、弾性的に圧縮されながら前記供給接触面と接触する、
請求項５に記載の電動ファン。
【請求項７】
前記電動ファン電源接続端子は、一端が前記モーターに向けて延長し、前記モーターの端子と電気的に接続されるコイルスプリングを含む、
請求項６に記載の電動ファン。
【請求項８】
前記電動ファン電源接続端子は、一端が前記モーターに向けて延長し、前記モーターの端子と電気的に接続される板バネを含む、
請求項６に記載の電動ファン。
【請求項９】
前記電動ファン電源接続端子は、第１電動ファン電源接続端子及び第２電動ファン電源接続端子を含み、前記電動ファン電源供給端子側に電気的に接続される前記第１電動ファン電源接続端子及び前記第２電動ファン電源接続端子の第１接続接触面と第２接続接触面は、前記モーターからそれぞれ所定の長さだけ離隔して形成される、
請求項１に記載の電動ファン。
【請求項１０】
前記接続端子支持部は、一側面から前記電動ファン電源供給端子に向けて突出し、内部に収容溝が形成された接続端子収容部を含み、
前記電動ファン電源接続端子は、一部が前記収容溝の外に突出するように前記収容溝に収容され、一端が前記モーター側に延長して前記モーターの端子と電気的に接続される延長部を含む、
請求項１に記載の電動ファン。
【請求項１１】
前記接続端子支持部は、前記モーターの端子が収容される収容溝が形成されたモーター端子収容部と、前記接続端子収容部の収容溝と前記モーター端子収容部の収容溝との間を連通し、前記電動ファン電源接続端子の前記延長部を収容する接続部を含む、
請求項１０に記載の電動ファン。
【請求項１２】
前記位置維持部は、前記モーターまたは前記ファンを囲むパッキングフレームと、前記パッキングフレームの外周を囲んで設けられるパッキングとを含む、
請求項１に記載の電動ファン。
【請求項１３】
前記電動ファン収容溝は、長手方向の一端に挿入口を含み、
前記電動ファンは、前記挿入口を介して前記電動ファン収容溝に前記長手方向に挿入可能である、
請求項１に記載の電動ファン。
【請求項１４】
請求項１ないし１３の何れか一項に記載の電動ファンを備える、
電気ロースター。